(57)【要約】  再生紙の有効利用の種別範囲を拡大することができ、細分化された廃紙が経済的価値を有しながらリサイクル過程で流通することができる、従来にない高価格の再生紙リサイクルビジネスを生成すること。  廃紙排出側で、廃紙４を細分化する破砕処理手段と、破砕した細片を圧縮し紙塊片５とする固型処理手段と、紙塊片５の集合が所定重量あるいは所定容積に達すると収集業者側に通報する回収要求通報手段と、収集業者側で、通報により廃紙排出側に赴き紙塊片５の集合を回収するに際し、紙塊片５の価格を算出して、廃紙排出側に紙塊片５の価格の支払い債務を負担する紙塊片有料化手段と、回収した紙塊片５を、運搬手段を用いて再生製品生産者側に引き渡す再生側引渡し手段と、引き渡すに際し、紙塊片有料化手段による紙塊片５の価格よりも大の価格で引き渡す引渡し有料化手段と、再生製品生産者側で、紙塊片５を再生製品７に加工する再生加工手段とよりなる。
2008136442.tif 000002
【特許請求の範囲】
【請求項１】
廃紙排出側で、
廃紙を細分化する破砕処理手段と、
破砕した細片を、一定の大きさに圧縮して固めて紙塊片とする固型処理手段と、
固型処理手段で形成した紙塊片の集合が、所定重量あるいは所定容積に達すると自動的に収集業者側に通報する回収要求通報手段と、
収集業者側で、
回収要求通報手段による通報により廃紙排出側に赴き、紙塊片の集合を回収するに際し、紙塊片の価格を算出して、廃紙排出側に紙塊片の価格の支払い債務を負担する紙塊片有料化手段と、
回収した紙塊片を、運搬手段を用いて再生製品生産者側に運搬して引き渡す再生側引渡し手段と、
再生側引渡し手段で引き渡すに際し、紙塊片有料化手段による紙塊片の価格よりも大の価格で引き渡す引渡し有料化手段と、
再生製品生産者側で、
引渡しを受けた紙塊片を再生製品に加工し、あるいは再生製品の原料に加工する再生加工手段と、
よりなる廃紙の破砕回収再生システム。
【請求項２】
回収要求通報手段は、紙塊片の集合の重量あるいは容積を計測する計測手段と、
紙塊片の集合が所定重量あるいは所定容積に達した計測値を定期的に記録する記録手段と、
当該記録を所定期間ごとに収集業者側に出力して通報する出力手段と、
を有していることを特徴とする請求項１に記載の廃紙の破砕回収再生システム。
【請求項３】
廃紙を破砕するシュレッダ装置であって、
廃紙を千切って細分化する破砕処理手段と、
破砕した細片を、一定の大きさに圧縮して固めて紙塊片とする固型処理手段と、よりなる請求項１又は請求項２に記載の廃紙の破砕回収再生システムに用いるシュレッダ装置。
【請求項４】
このシュレッダ装置に関する情報を記憶する記憶部と、
記憶部に記憶された情報を他の装置へ通信経路を介して送信する通信部と、よりなる請求項１又は請求項２に記載の廃紙の破砕回収再生システムに用いる
ことを特徴とする請求項３に記載の廃紙の破砕回収再生システムに用いるシュレッダ装置。
【請求項５】
通信経路は、ローカルネットワークからなる第１の通信経路と、グローバルネットワークからなる第２の通信経路とで構成されていることを特徴とする請求項３又は請求項４に記載の廃紙の破砕回収再生システムに用いるシュレッダ装置。
【請求項６】
破砕処理手段へ廃紙を搬送する廃紙送り手段を有し、
廃紙送り手段には、廃紙を収納するための廃紙収納ケースが設けられており、
廃紙収納ケースは、個人認証キーにより施錠可能に構成されている
ことを特徴とする請求項３〜５の何れか１項に記載の廃紙の破砕回収再生システムに用いるシュレッダ装置。
【請求項７】
廃紙送り手段は、廃紙収納ケースに収納された廃紙を検知する廃紙検知センサを備え、
通信部は、廃紙検出部により廃紙を検出すると、当該検出情報を第２の通信経路を介して送信する
ことを特徴とする請求項３〜６の何れか１項に記載の廃紙の破砕回収再生システムに用いるシュレッダ装置。
【請求項８】
請求項３に記載のシュレッダ装置に外付けで着脱自在に構成した通信装置であって、
当該通信装置を取り付けたシュレッダ装置に関する情報を取得する情報取得部と、
情報取得部で取得した情報を記憶する記憶部と、
情報取得部で取得した情報を他の装置へ通信経路を介して送信する通信部と、を有することを特徴とする廃紙の破砕回収再生システムに用いるシュレッダ装置に着脱可能な通信装置。
【請求項９】
通信経路は、ローカルネットワークからなる第１の通信経路と、グローバルネットワークからなる第２の通信経路とで構成されていることを特徴とする請求項８に記載の廃紙の破砕回収再生システムに用いるシュレッダ装置に着脱可能な通信装置。
【発明の詳細な説明】
【技術分野】
【０００１】
この発明は、廃紙の破砕回収再生システム及び同システムに用いるシュレッダ装置並びに通信装置に関する。
【背景技術】
【０００２】
近年、地球環境の保全のため、リサイクルの促進が叫ばれており、それに伴い紙のリサイクル率も高まってきている。【０００３】
例えば、特許文献１には、不要になった機密文書を、その機密性を保持したまま破砕処理し、回収し、古紙として再生パルプ化し、再生紙を生産し、再生製品を生産するものであって、これらを統合した管理システムを構築し、ネットワーク上でデータの送受信を行い、機密文書のリサイクルを一元的に管理する機密古紙回収再生システムが開示されている。
【特許文献１】特開２００５−４１６６４号公報
【発明の開示】
【発明が解決しようとする課題】
【０００４】
機密文書に関しては、機密性を確保しなければならないため、確実に溶解プロセスに搬送するか、シュレッダにより細断した紙片をリサイクルする必要がある。【０００５】
細断されていない機密文書を溶解プロセスに搬送する場合は、当該機密文書が機密管理区域外を通過することになるので、搬送段階での機密漏洩がないような管理をどのように組み込むか、その信頼性をどう確保するか、確保した信頼性を機密文書の処理委託者が実感できるかが課題であるため、普及に課題が残されている。【０００６】
一方、シュレッダで細断した紙片は機密性が解除されているので、機密漏洩に関する課題は克服されている。【０００７】
しかしながら、切断型のシュレッダの場合は切断された紙片に残されたセルロース繊維長が３ｍｍ以下と短いため、繰り返してのリサイクルに不適で、焼却燃料として使用されるか、トイレットペーパーへのリサイクルにとどまっている。【０００８】
これを解決するものと期待されている引き千切り型のシュレッダの場合、５ｍｍ程度のセルロース繊維長を確保できるので、多数回のリサイクルが期待されている。【０００９】
さらに細断後の廃紙を圧縮するタイプのシュレッダも提案されており、リサイクル性とオフィスの作業環境の改善の観点から期待されている。【００１０】
しかしながら、この場合においても細断された紙片の回収作業は各職場で負担せざるを得ず、また、機密性がない文書も機密性の判断を回避する理由で細断の対象とするため細断廃紙の量は増大する一方であるため、リサイクルを促進しつつ作業環境の改善がさらに望まれている。【００１１】
更には、セルロース繊維長が３ｍｍ以下と短いと、再生紙製造工程におけるセルロース同士の絡み合いが不十分となり、繰返しのリサイクルが不適で再生用途も限定されるため、再生業者への渡し価格も低く、従って、廃紙を生成する廃紙排出側においては、廃紙流通過程で再生業者との間に介在する廃紙収集業者からの廃紙対価はほとんど無に近いものであり、ほとんどの廃紙は有料化を目的としたリサイクルの経済的採算性の枠外にあるものと考えられていた。【００１２】
そこで、本発明は、再生紙の有効利用の種別範囲を拡大することができ、細分化された廃紙が経済的価値を有しながらリサイクル過程で流通することができる、従来にない高価格の再生紙リサイクルビジネスを生成することを目的とする。
【課題を解決するための手段】
【００１３】
上記目的を達成するために、請求項１に記載の廃紙の破砕回収再生システムは、廃紙排出側で、廃紙を細分化する破砕処理手段と、破砕した細片を、一定の大きさに圧縮して固めて紙塊片とする固型処理手段と、固型処理手段で形成した紙塊片の集合が、所定重量あるいは所定容積に達すると自動的に収集業者側に通報する回収要求通報手段と、収集業者側で、回収要求通報手段による通報により廃紙排出側に赴き、紙塊片の集合を回収するに際し、紙塊片の価格を算出して、廃紙排出側に紙塊片の価格の支払い債務を負担する紙塊片有料化手段と、回収した紙塊片を、運搬手段を用いて再生製品生産者側に運搬して引き渡す再生側引渡し手段と、再生側引渡し手段で引き渡すに際し、紙塊片有料化手段による紙塊片の価格よりも大の価格で引き渡す引渡し有料化手段と、再生製品生産者側で、引渡しを受けた紙塊片を再生製品に加工し、あるいは再生製品の原料に加工する再生加工手段と、よりなることを特徴とする。【００１４】
このような構成とすることにより、機密文書等の廃紙をオフィス等の廃紙排出側において破砕処理手段で細分化し、固めて紙塊片とし、収集業者側を介して再生製品生産者側に引渡されて再生加工されるので、広範囲・多種の再生紙にリサイクルすることが容易となり、再生紙の有効利用の種別範囲を拡大することができ、従って、細分化された細片が経済的価値を有しながらリサイクル過程で流通することができることになり、従来にない高価格の再生紙リサイクルビジネスを生成することができる効果があり、翻っては、有効資源の確保、自然環境の整備等に大いに貢献することができる効果がある。【００１５】
また、請求項２に記載の廃紙の破砕回収再生システムでは、、回収要求通報手段は、紙塊片の集合の重量あるいは容積を計測する計測手段と、紙塊片の集合が所定重量あるいは所定容積に達した計測値を定期的に記録する記録手段と、当該記録を所定期間ごとに収集業者側に出力して通報する出力手段と、を有していることを特徴とする。【００１６】
このような構成とすることにより、紙塊片の集合が所定量に達すると、その計測を定期的かつ自動的に行い、記録し、収集業者側に出力することができるので、廃紙排出側で貯溜した千切り細片の量を管理する必要がなく、リサイクルのタイミングが迅速、円滑に管理されて廃紙の回収再生の経済性を可及的に向上することができる効果がある。【００１７】
また、請求項３に記載のシュレッダ装置は、廃紙を破砕するシュレッダ装置であって、廃紙を千切って細分化する破砕処理手段と、破砕した細片を、一定の大きさに圧縮して固めて紙塊片とする固型処理手段と、よりなる請求項１又は請求項２に記載の廃紙の破砕回収再生システムに用いるシュレッダ装置とした。【００１８】
このように構成することにより、廃紙の高品質な再生製品へのリサイクルが実現可能となる。【００１９】
また、請求項４に記載のシュレッダ装置は、請求項３に記載のシュレッダ装置において、このシュレッダ装置に関する情報を記憶する記憶部と、記憶部に記憶された情報を他の装置へ通信経路を介して送信する通信部と、よりなることを特徴とする。【００２０】
このような構成とすることにより、各シュレッダ装置に関する情報に基づき最適のメンテナンスを行うことができ、機種の改良、サービスの向上に資することができる。【００２１】
また、請求項５に記載のシュレッダ装置は、請求項３又は請求項４に記載のシュレッダ装置において、通信経路は、ローカルネットワークからなる第１の通信経路と、グローバルネットワークからなる第２の通信経路とで構成されていることを特徴とする。【００２２】
このような構成とすることにより、機密情報についてはローカルネットワークからなる第１の通信経路を介して送信することで、当該機密情報の漏洩を確実に防止することができる。【００２３】
また、請求項６に記載のシュレッダ装置は、請求項３〜５の何れか１項に記載のシュレッダ装置において、破砕処理手段へ廃紙を搬送する廃紙送り手段を有し、廃紙送り手段には、廃紙を収納するための廃紙収納ケースが設けられており、廃紙収納ケースは、個人認証キーにより施錠可能に構成されていることを特徴とする。【００２４】
このような構成とすることにより、例えば、シュレッダ装置の稼動中に紙詰まりなどの異常が発生して処理が中断した場合など、作業者がその場にいなくとも当該異常が発生したことを把握することができ、千切り破砕シュレッダを次に使用する他の作業者に迷惑を掛けることなく不具合を解消することができる。【００２５】
また、請求項７に記載のシュレッダ装置は、請求項３〜６の何れか１項に記載のシュレッダ装置において、廃紙送り手段は、廃紙収納ケースに収納された廃紙を検知する廃紙検知センサを備え、通信部は、廃紙検出部により廃紙を検出すると、当該検出情報を第２の通信経路を介して送信することを特徴とする。【００２６】
このような構成とすることにより、シュレッダ装置の稼動状況を外部から把握することが可能となる。【００２７】
また、請求項８に記載の通信装置は、請求項３に記載のシュレッダ装置に外付けで着脱自在に構成した通信装置であって、当該通信装置を取り付けたシュレッダ装置に関する情報を取得する情報取得部と、情報取得部で取得した情報を記憶する記憶部と、情報取得部で取得した情報を他の装置へ通信経路を介して送信する通信部と、を有することを特徴とする。【００２８】
このような構成とすることにより、シュレッダ装置が通信機能を有していない場合であっても、当該千切り破砕シュレッダに関する情報を他の装置へ送信することが可能となる。【００２９】
また、請求項９に記載の通信装置は、請求項８に記載の通信装置において、通信経路は、ローカルネットワークからなる第１の通信経路と、グローバルネットワークからなる第２の通信経路とで構成されていることを特徴とする。【００３０】
このような構成とすることにより、機密情報についてはローカルネットワークからなる第１の通信経路を介して送信することで、当該機密情報の漏洩を確実に防止することができる。
【発明の効果】
【００３１】
本発明によれば、機密文書等の廃紙をオフィス等の廃紙排出側において破砕処理手段で細分化し、固めて紙塊片とし、収集業者側を介して再生製品生産者側に引渡されて再生加工されるので、広範囲・多種の再生紙にリサイクルすることが容易となり、再生紙の有効利用の種別範囲を拡大することができ、従って、細分化された細片が経済的価値を有しながらリサイクル過程で流通することができることになり、従来にない高価格の再生紙リサイクルビジネスを生成することができる効果があり、翻っては、有効資源の確保、自然環境の整備等に大いに貢献することができる効果がある。
【図面の簡単な説明】
【００３２】
【図１】本実施形態にかかる廃紙の破砕回収再生システムの処理工程を示す概略図である。
【図２】本実施形態にかかる廃紙の破砕回収再生システムのシステム構成を示す図である。
【図３】本実施形態にかかる千切り破砕シュレッダの構成例を示す図である。
【図４】本実施形態にかかる千切り破砕シュレッダを示す側面図である。
【図５】本実施形態にかかる千切り破砕シュレッダの受台用ロック機構を示す図である。
【図６】本実施形態にかかる千切り破砕シュレッダを示す平面図である。
【図７】本実施形態にかかる千切り破砕シュレッダの側断面図である。
【図８】本実施形態にかかる千切り破砕シュレッダにおける搬送機構の要部を示す図である。
【図９】本実施形態にかかる千切り破砕シュレッダにおける搬送機構の拡大側断面図である。
【図１０】本実施形態にかかる千切り破砕シュレッダにおける搬送機構の要部を示す図である。
【図１１】本実施形態にかかる千切り破砕シュレッダにおける破砕装置の要部を示す図である。
【図１２】本実施形態にかかる千切り破砕シュレッダにおける破砕装置の要部を示す図である。
【図１３】本実施形態にかかる千切り破砕シュレッダにおける固型処理部の平面図である。
【図１４】本実施形態にかかる千切り破砕シュレッダにおける固型処理部を示す図であり、図１４（ａ）は正面図、図１４（ｂ）は平面図である。
【図１５】通報受信サーバの構成例を示した図である。
【図１６】データベース内に記憶されている廃紙排出側情報の一例を示した図である。
【図１７】通報受信サーバのディスプレイに表示される画面の構成例である。
【図１８】千切り破砕シュレッダにおける表示部の構成例である。
【図１９】本実施形態における千切り破砕シュレッダ１のメイン処理フローチャートである。
【図２０】本実施形態における破砕計測通報処理のフローチャートである。
【図２１】本実施形態における通報受信サーバのメイン処理フローチャートである。
【図２２】他の実施形態における廃紙の破砕回収再生システムのシステム構成を示す図である。
【図２３】他の実施形態における千切り破砕シュレッダの構成例を示す図である。
【図２４】他の実施形態における回収ボックスの構成例を示す図である。
【符号の説明】
【００３３】
Ｓ、Ｓ’    廃紙の破砕回収再生システム
１、１０    千切り破砕シュレッダ
２    通報受信サーバ
４    廃紙
５    紙塊片
７    再生製品
【発明を実施するための最良の形態】
【００３４】
以下、本発明の実施の形態について、図面を参照しながら詳説する。図１は本実施形態にかかる廃紙の破砕回収再生システムの処理工程を示す概略図であり、図２は本実施形態にかかる廃紙の破砕回収再生システムのシステム構成を示す図である。なお、以下では、破砕処理手段の一例として、千切り破砕により廃紙の細断を行うシュレッダ装置としての千切り破砕シュレッダを用いた場合について説明するが、本発明は、これに限定するものではなく、廃紙を切断刃により切断する場合など、その他の細断方法により廃紙を細断するシュレッダ装置に対しても適用することができる。【００３５】
本実施形態にかかる廃紙の破砕回収再生システムＳは、千切り破砕シュレッダを用いて機密文書等をその機密性を保持しつつ細分化し、回収するとともに、高品質な再生製品としてリサイクルするためのシステムであり、図１に示すように、廃紙排出側と、収集業者側と、再生製品生産者側と、より構成される。【００３６】
廃紙排出側は、例えば、経理書類や個人情報、或いは技術文書など、機密性の高い文書を日常の業務で発生させる金融会社や保険会社等のオフィス、或いはその他不要な紙が必然的に生成される工場等を指称する。かかる廃紙排出側は、千切り破砕シュレッダ１を用いて不要となった機密性文書等のうち、白黒で印刷された文書（以下、「廃紙」と称することもある。）を千切り破砕する。【００３７】
千切り破砕シュレッダ１は、特に、廃紙４の破砕処理方法及び細断した廃紙４の固型処理方法に特徴を有するシュレッダであり、かかる方法によって処理された廃紙４の高品質な再生製品７へのリサイクルを実現可能とするものである。かかる千切り破砕シュレッダ１の具体的構成及び動作については、後述する。【００３８】
収集業者側は、廃紙排出側により破砕、固型化された廃紙である紙塊片５を回収し、当該廃紙排出側に対価を支払うとともに、回収した紙塊片５を再生製品生産者側へと引き渡し、当該再生製品生産者側から対価を受け取ることを主な業務とするものである。【００３９】
再生製品生産者側は、収集業者側から受け取った廃紙４を再生製品７に加工し、あるいは再生製品７の原料に加工して、これらを売却することで利益を得る業者である。【００４０】
また、本実施形態にかかる廃紙の破砕回収再生システムＳは、図２に示すように、廃紙排出側の有する千切り破砕シュレッダ１ａ〜１ｄと、収集業者側の有する通報受信サーバ２とが、固定電話、ＰＨＳなどの電話回線やインターネットなどの通信ネットワーク３を介して接続される。なお、以下において、千切り破砕シュレッダ１ａ〜１ｄの任意の一つを表す場合には千切り破砕シュレッダ１と表現することがあるものとする。【００４１】
なお、通信ネットワーク３は、インターネットなどのＷＡＮ（ワイド・エリア・ネットワーク）であるが、専用回線網を使用することもできる。また、各装置は、通信ネットワーク３に直接接続できないときには、ブロードバンドルータや専用機器を介して通信ネットワーク３に接続される。【００４２】
上記各機関によって構成される廃紙の破砕回収再生システムＳは、概括的には次の動作よりなる。【００４３】
すなわち、図１に示すように、先ず、廃紙排出側が、千切り破砕シュレッダ１を用いて千切り作用により廃紙４を細分化する破砕処理手段が設けられている。【００４４】
次に、廃紙排出側が、同シュレッダ１を用い、細分化した廃紙（以下、「千切り細片」ともいう。）を一定の大きさに圧縮し固めて紙塊片５とする固型処理手段が設けられている。【００４５】
次に、廃紙排出側において、固型処理手段で形成した紙塊片５の集合が所定重量あるいは所定容積に達すると、同シュレッダ１を用いて収集業者側にその旨を自動的に通報する回収要求通報手段が設けられている。【００４６】
なお、当該回収要求通報手段は、紙塊片５の集合の重量あるいは容積に代えて、廃紙送り手段で破砕部に搬送した破砕前の廃紙の重量、容積あるいは枚数が所定の量に達すると、同シュレッダ１を用いて収集業者側にその旨を自動的に通報するようにしてもよい。【００４７】
次に、収集業者側が、千切り破砕シュレッダ１からの通報によって廃紙排出側に赴き、紙塊片５の集合を回収するに際し、紙塊片５の価格を算出して、収集業者側が廃紙排出側に紙塊片５の価格の支払い債務を負担する紙塊片有料化手段が設けられている。【００４８】
次に、収集業者側が、回収した紙塊片５を運搬手段を用いて再生製品生産者側に運搬して引き渡す再生側引渡し手段が設けられている。【００４９】
次に、収集業者側が、再生側引渡し手段により紙塊片５を再生製品生産者側に引き渡すに際し、紙塊片有料化手段による紙塊片５の価格よりも大の価格で引き渡す引渡し有料化手段が設けられている。【００５０】
次に、再生製品生産者側が、引渡しを受けた紙塊片５を再生製品７に加工し、あるいは再生製品７の原料に加工する再生加工手段が設けられている。【００５１】
そして、生成された再生製品は市場へと流通する。【００５２】
次に、本実施形態にかかる廃紙の破砕回収再生システムＳの構成を、図面を参照してさらに詳細に説明する。【００５３】
〔廃紙排出側の処理〕
廃紙排出側は、業務上発生し不要となった機密文書その他の文書を千切り破砕シュレッダ１を用いて細分化する。その際、廃紙排出側は、廃紙生成手段として、当該不要となった文書をカラー印刷文書と白黒印刷文書とに分別する。【００５４】
すなわち、従来、これら不要な文書はカラー以外の活字等の印刷文書（すなわち、「白黒印刷文書」）と、カラー印刷文書とに分別されるが、カラー印刷文書は、カラー印刷インクを除去しなければ、再生紙として用いることはできない。特に、カラートナーを利用して紙面の全面に印刷した文書は、実質的にプラスチックと同等の廃棄物となり、再生紙の原料には向かないものである。カラー印刷文書の混入が少ないほど、再生紙原料として価値があるのである。そこで、本実施形態にかかる廃紙の破砕回収再生システムＳにおいては、予め廃紙生成手段によって、カラー印刷文書を除去分別して、白黒印刷文書のみを再生対象の廃紙４とすることとした。【００５５】
〔千切り破砕処理〕
次に、廃紙排出側は、廃紙４の千切り破砕を行う。かかる処理は、廃紙排出側の有する千切り破砕シュレッダ１によってなされるものである。【００５６】
ここで、千切り破砕シュレッダ１の具体的構成について、図３を参照して説明する。図３は本実施形態にかかる千切り破砕シュレッダの構成例を示す図である。【００５７】
図３に示すように、本実施形態にかかる千切り破砕シュレッダ１は、機密性を保持しつつ、廃紙４を千切り破砕シュレッダ１内部へと搬送する廃紙送り部１１０と、廃紙４を千切り作用により細分化する千切り破砕処理部１２０と、千切り細片を圧縮、固型化し紙塊片５を形成する固型処理部１３０と、紙塊片５の集合の重量あるいは容積を計測し、当該計測値を記録するとともに、当該計測値が所定値に達すると通報受信サーバ２に対してその旨を通知する回収要求通報部１４０と、作業状況を知らせるための表示部１６０と、これらを制御する制御部１５０とより構成される。【００５８】
（１）制御部
制御部１５０は、ＣＰＵ（Central Processing Unit）、ワーキングメモリなどに使用されるＲＡＭ（Random Access Memory）、ＲＯＭ（Read Only Memory）などから構成される。そして、制御部１５０は、ＣＰＵやＲＯＭに記憶された各種プログラムを読み出し実行することにより、千切り破砕シュレッダ１全体を制御し、かつ、後述の廃紙送り手段、破砕処理手段、固型処理手段、回収要求通報手段、料金演算手段等として機能する。【００５９】
（２）廃紙送り手段
廃紙送り手段としての廃紙送り部１１０は、図４に示すように、廃紙収納ケース４００と、搬送機構５００と、廃紙検知センサと、ロック検知センサとを備えて構成される。【００６０】
（i）廃紙収納ケース
廃紙４は所定枚数積層されており、一枚ずつまたは数枚ずつ下層紙より取り出されて次工程の千切り破砕処理部１２０へと搬入されていく。しかし、ここで重要なことは、次工程の千切り破砕処理部１２０へ廃紙４を一枚ずつまたは数枚ずつ下層紙より取り出して搬入する場合に、事前工程として廃紙４は廃紙収納ケース４００に所定枚数積層されて待機した状態にあるということである。【００６１】
かかる状態のときに、不用意に廃紙４が廃紙収納ケース４００から人為的に抜取られた場合、廃紙４からの秘密漏洩が発生することになる。そのため、廃紙４が廃紙収納ケース４００に所定枚数積層され千切り破砕処理部１２０へ搬入されるまで待機状態にあるときに、廃紙４が廃紙収納ケース４００から抜取られない対策を講じなければならない。【００６２】
そこで、特に本実施形態においては、破砕処理を行う際に廃紙収納ケース４００に２つのロック機構が作動するようにした。【００６３】
以下、かかる機能を有する廃紙収納ケース４００の構造について説明する。【００６４】
廃紙収納ケース４００は、千切り破砕処理部１２０へ廃紙４を搬送するための搬送ベルト５０１上に積層する多数枚の廃紙４を収納するものである。そして、廃紙４の破砕処理に際して、破砕処理工程中に廃紙４が不用意に抜取られて廃紙４に印字された内容が漏洩することを防止するために廃紙収納ケース４００には２つのロック機構が設けられている。すなわち、廃紙４は、一旦同ケース４００中に収納されると、これらのロック機構を解錠しない限り、廃紙４はケース４００外に取り出すことは不可能となる。【００６５】
廃紙収納ケース４００の構造は、搬送ベルト５０１上を覆う蓋体４０２と受台４０３とよりなる。蓋体４０２及び受台４０３は、廃紙４のサイズに応じて伸縮或は折畳み自在であり、本実施例では、Ａ４サイズ、Ａ３サイズの２種類に対応しているが、Ｂ５、Ｂ４サイズもＡ４サイズ、Ａ３サイズで収納処理が可能である。【００６６】
蓋体４０２は、搬送ベルト５０１上に積層した廃紙４の上方を密閉状に閉蓋可能に構成され、下方開放の方形箱状に形成されており、先端部を本体ケーシング４５０の側壁に枢支し、同枢支部４０４を中心に開閉蓋可能としている。【００６７】
しかも、蓋体４０２内側には、伸縮用の補助蓋体４０５を重複状態に重ねて収納しており、補助蓋体４０５も蓋体４０２と同様に下方開放の箱状に形成している。【００６８】
しかも、補助蓋体４０５を蓋体４０２の端部から引き出すことにより、蓋体４０２は伸長した形態に変化し、大サイズの廃紙４の上方を覆うことができるようにしている。【００６９】
受台４０３は、大サイズの廃紙４を処理する場合に用いるものであり、蓋体４０２から補助蓋体４０５を伸長して蓋体４０２等で大サイズの廃紙４を覆う状態とした場合に、搬送ベルト位置の後方にはみ出した大サイズの廃紙４下方を支持するためのものであり、搬送ベルト５０１の後方側に張り出して装着される。【００７０】
受台４０３は、先端を本体ケーシング４５０の側壁に枢支して垂直方向に曲折自在に構成している。【００７１】
かかる構成の蓋体４０２と受台４０３は、次のように機能する。すなわち、小サイズの廃紙４を処理する場合は、搬送ベルト５０１上に小サイズの廃紙４が収まるため受台４０３は不要であり、この場合は、先端の枢支部から下方に折曲して垂直に収納した状態としておく。【００７２】
他方、大サイズの廃紙４を処理する場合は、搬送ベルト５０１の後方において、受台４０３先端の枢支部を中心に水平方向に変位させて、搬送ベルト５０１の後方から張り出し大サイズの廃紙４後半部を支持する。【００７３】
かかる蓋体４０２と受台４０３には、２つのロック機構が具備されている。まず、図４、図５に示すように、受台４０３の先端部と、本体ケーシング４５０側壁との間には、受台用ロック機構４０６が介設されている。【００７４】
すなわち、大サイズの廃紙処理に際して受台４０３を水平状態にセットした場合には、仮に、受台４０３に受台用ロック機構４０６が作用しないと、受台４０３を強引に垂直方向に折畳むことができ、搬送ベルト５０１後方にはみ出した大サイズの廃紙４が露出してしまう。かかる状態で折畳み状態の受台４０３の上方から露出した廃紙４を外に引出せば、秘密保持のための廃紙破砕の目的に沿わず、廃紙４から秘密漏洩が生起するおそれがある。【００７５】
かかる不測の事態を防止するために受台４０３を大サイズ廃紙処理用に水平状態にセットした場合に、蓋体４０２と補助蓋体４０５とを一体に閉蓋すると、図５に示すように、補助蓋体４０５の縁部に垂設した突片４０７，４０７が受台用ロック機構４０６のスイッチレバー４０８及びロックピン規制プレート４０９を作動させて、自動的に受台４０３の受台用ロック機構４０６が作動させる。【００７６】
かかる状態では、受台４０３は、外的要因によって折曲することができず、収納状態とはならない。従って、不用意に大サイズの廃紙４の引出しが行えず、秘密保持目的を十分に達し得る。【００７７】
なお、この受台用ロック機構４０６を解除するに際しては、補助蓋体４０５と一体の蓋体４０２を別途設けた蓋体用ロック機構４１０を解除して開蓋すると、ロック機構は自動的に解除されて、受台４０３は、手動により垂直の収納状態とすることができる。【００７８】
また、図４に示すように、蓋体４０２の側壁と本体ケーシング４５０の側壁、すなわち、搬送ベルト５０１上の廃紙収容空間の側壁との間には、上記の受台用ロック機構４０６とは別に蓋体用ロック機構４１０が介設されている。【００７９】
すなわち、図６に示すように、閉蓋して、本体ケーシング４５０の側壁に設けたロックピン４１１をソレノイド４１２により進退作動させると、ロックピン４１１と蓋体４０２の側壁とが係合し、あるいは、離脱して蓋体４０２の開閉ロックがなされる。【００８０】
なお、ロックピン４１１の電動操作は、別途設けた操作スイッチ４１３により行うものであり、同操作スイッチ４１３は、作業者が有する所定の操作キー（「個人認証キー」に相当）を用いなければ操作できないように構成している。【００８１】
このように、所定の操作キーを用いてスイッチ操作を行うように構成することにより、不用意に廃紙処理中に開蓋して廃紙４の抜き取りが行えないようにしている。なお、個人認証キーとして、所定の操作キーの他、指紋認証、顔認証、網膜認証などを用いることができる。【００８２】
（ii）搬送機構
廃紙収納ケース４００の底部には、積層した廃紙４を搬送するための始動部分たる搬送ベルト５０１が配設されている。すなわち、図４に示すように、廃紙送り部１１０の前後に駆動軸５０２と遊動軸５０３を配設し、さらに、図６に示すように、駆動軸５０２と遊動軸５０３にはそれぞれ周面スプロケット状のプーリ５０４，５０５を一定間隔を保持して多数並設し、前後の各プーリ間に内周面を凹凸上に形成した搬送ベルト５０１を懸架している。【００８３】
駆動軸５０２に並設された多数の周面スプロケット状のプーリ５０４間には、駆動軸５０２と連動しないフリー状態で受けローラ５０６を互い違いに装着している。【００８４】
図７に示すように、前プーリ５０４の略上方には、ワンウェイ軸５０７を配置している。このワンウェイ軸５０７には、図８に示すように、フリーローラ５０８とワンウェイローラ５０９とが互い違いに多数並列して装着されていると共に、フリーローラ５０８は、ワンウェイ軸５０７と連動しないように、大径の中心孔を形成して同中心孔中にワンウェイ軸５０７が挿貫された状態となっており、また、ワンウェイローラ５０９は、ワンウェイ軸５０７と一体に取付けられてワンウェイ軸５０７の一方間回転作動と同じ回転作動を行う。【００８５】
図中、５１０は、フリーローラ５０８の前方に配設した規制軸であり、フリーローラ５０８が前方に過移動しないように規制している。【００８６】
ワンウェイ軸５０７と一体に回転するワンウェイローラ５０９は、廃紙搬送方向には回転せず、その逆送方向にのみ回転するように構成されている。更には、各フリーローラ５０８は、各搬送ベルト５０１とそれぞれ当接するように構成されており、各ワンウェイローラ５０９は、その下方の各受けローラ５０６に廃紙一枚分の間隙を保持して対峙構成されている。【００８７】
従って、搬送ベルト５０１上に載置された積層の廃紙４は、搬送ベルト５０１により最下層の廃紙４のみ前方へ送られ、その上方層の積層廃紙４は、逆転するワンウェイローラ５０９により受止められて、最下層の一枚の廃紙４のみワンウェイローラ５０９と受けローラ５０６の間隙、及びフリーローラ５０８と搬送ベルト５０１との圧接間を挿通して前方へ進行する。【００８８】
図７に示すように、ワンウェイ軸５０７の略上方には平行に押圧軸５１１が配設されており、押圧軸５１１には、各フリーローラ５０８と当接し各フリーローラ５０８を下方に押圧する状態で押圧ローラ５１２が配設されている。【００８９】
すなわち、押圧軸５１１は、図９に示すように、ワンウェイ軸５０７のフリーローラ５０８に押圧ローラ５１２が圧接するようにスプリング５１３を介して常に下方に付勢されている。図中、５１４は、押圧軸５１１の軸端に設けた付勢機構であり、５１５は、軸支持レバー、５１６は、同レバーの基端の枢支部を示す。【００９０】
従って、フリーローラ５０８は、ワンウェイ軸５０７の作動と無関係に搬送ベルト５０１の先端湾曲部に圧接されており、同ベルト５０１の転回作動に従動して一枚の廃紙４を搬送ベルト５０１と間で挟圧しながら廃紙４の送り作用を果す。【００９１】
各フリーローラ５０８は前述の通り、中心にはワンウェイ軸５０７の軸径よりはるかに大きな軸孔を形成し、搬送ベルト５０１に圧接状態であるため搬送ベルト５０１の搬送作動に従動して回転するもののワンウェイ軸５０７とは無関係に回転作動を行う。しかも、その周面には、二本のゴム製のOリングを巻回して摩擦係数増大している。【００９２】
図９に示すように、搬送ベルト５０１の先端方向にはワンウェイ回転するガイド軸５１７が配設されており、図１０に示すように、同軸５１７にはガイドローラ５１８と当接ローラ５１９とが互い違いに並設されている。しかも、ガイドローラ５１８は搬送ベルト５０１の先端の転回周面部分に圧接されて廃紙４の送り方向には回転せず、その逆方向にのみ回転する。また、当接ローラ５１９は、搬送ベルト５０１間に配設された受けローラ５０６と当接されている。【００９３】
ガイドローラ５１８は、周面に二本のゴム製のOリングを巻回し、一定間隔で多数並設し多数の搬送ベルト５０１にそれぞれ相対して圧接されている。【００９４】
また、図１０に示すように、ガイド軸５１７の端部には、スプリング５２０によりガイド軸５１７を上方のワンウェイ軸５１７方向に付勢する付勢機構５２１が装着されている。図９に示すように、この付勢機構５２１によりガイドローラ５１８は搬送ベルト５０１に圧接されているが、この間に廃紙４が複数枚進入するとこの付勢機構５２１の付勢に抗してガイド軸５１７の位置が変位する。しかも、ガイド軸５１７の端部には、ガイド軸５１７の位置の変位に応じてゴムスイッチ５２２よりなるモータ反転スイッチ５２３が作動するように構成されており、同スイッチ５２３の作動により駆動モータが反転作動を行いそれに連動してワンウェイ軸５０７や搬送ベルト５０１など廃紙４の搬送に関わる回転部材が一斉に逆転回転を行い、ガイドローラ５１８と搬送ベルト５０１との当接間に狭持した多数の廃紙４を搬送方向と逆の方向に送り、搬送始動時の位置たる搬送ベルト５０１上に戻す。【００９５】
多数の廃紙４が復帰したら一旦変位したガイド軸５１７は元の正常な位置に復帰するので所定の時間経過後に駆動モータは正常の搬送作動方向に作動し通常の一枚毎の廃紙搬送を行う。【００９６】
図中、５２４と５２５は、ガイドローラ５１８の下方で各搬送ベルト５０１の転回部分の下側周面近傍に順次配設した小径ガイドローラであり、各搬送ベルト５０１にそれぞれ圧接して、上方のガイドローラ５１８から案内されてきた一枚の廃紙４を搬送ベルト５０１に沿って更に下方に案内するものである。【００９７】
また、５２６は、下手の小径ガイドローラと搬送ベルトの圧接位置の直後の下手流路に配設したガイド板である。このガイド板５２６は、搬送ベルト５０１とフリーローラ５０８との間を挿通してきた一枚の廃紙４を下手側に配設した千切り破砕処理部１２０に案内するためのものである。【００９８】
（iii）廃紙検知センサ
また、この廃紙送り部１１０は、廃紙を検出する廃紙検知センサ（図示せず）を備えている。【００９９】
かかる廃紙検知センサを設けることにより、廃紙収納ケース４００内に廃紙がなくなったとき、廃紙検知センサが廃紙を検知しなくなるため、当該検知結果に基づいて、廃紙送り手段、破砕処理手段、固型処理手段等の処理を自動的に停止させることができる。【０１００】
（iV）ロック検知センサ
また、廃紙送り部１１０は、蓋体用ロック機構４１０のロック状態を検知するロック検知センサ（図示せず）を備えている。【０１０１】
かかるロック検知センサを設けることにより、ロックがかかっていない状態で処理が開始されるのを防ぐことができ、安全性、機密性を向上させることが可能となる。【０１０２】
（３）破砕処理手段
機密文書を含む廃紙４は、廃紙排出側において破砕処理手段により千切り状に破砕される。すなわち、千切り破砕シュレッダ１の廃紙送り部１１０によって搬送された廃紙４は、破砕処理手段としての千切り破砕処理部１２０により千切り破砕される。【０１０３】
図７に示すように、千切り破砕処理部１２０は、周面に先端先鋭状の破砕歯車を多数形成した円盤状の歯車を三本の破砕軸６０１，６０２，６０３にそれぞれ多数隣接状態に装着してなり、具体的には第１、第２、第３の各破砕歯車６０４，６０５，６０６を組み合わせてその間に廃紙４を挟んで搬送しながら千切り作用を行うように構成されている。【０１０４】
すなわち、破砕盤の間を廃紙４が通過する過程で各破砕ロールの破砕歯車の歯のかみ合いと歯面の滑りによって廃紙４を約５ｍｍ以上のセルロース繊維長を有した細片に千切り状に破砕する。千切り破砕手段によって、廃紙をセルロース繊維長が５ｍｍ以上の千切り細片とすることができるため、再生紙にする場合、再生紙の用途を広範囲に拡大することができ、従来の細断廃紙が３ｍｍ以下のセルロース繊維長の故にトイレットペーパー等の低品質な再生紙にしか再生できなかったことに比較して、セルロース繊維長を長くすることにより、各種の再生紙に再生が可能となり、再生紙の使用範囲が拡大し、その分廃紙の千切り細片の経済的価格が高騰して、廃紙のリサイクルビジネスの経済性を向上することができる効果があり、更には、機密文書の廃紙で廃紙の千切り細片のセルロース繊維長が５ｍｍ以上あっても、千切り状態としたため機密性を十分に保持することができる効果がある。【０１０５】
千切り破砕処理部１２０は次のように構成されている。【０１０６】
搬送ベルト５０１と小径ガイドローラ５２５との圧接位置より、下手流路には、仮想三角形の頂点に位置するように三本の破砕軸６０１，６０２，６０３を配設し、図１１、図１２に示すように、各軸には横方向に一定間隙を保持して多数の破砕歯車６０４，６０５，６０６が並設されている。【０１０７】
図１１に示すように、第一破砕軸６０１には、先端先鋭状の歯を多数周縁に突設した第一破砕歯車６０４を一定間隔を保持して多数横方向に並設すると共に、各歯車６０４間には、周面に歯受用溝を円周状に刻設した第一スペーサ６０７を介設することにより、第一破砕歯車６０４と第一スペーサ６０７とを互い違いに並設している。【０１０８】
第一破砕軸６０１に対向する第二破砕軸６０２には、第一破砕軸６０１と同様に周縁に先端先鋭状の歯を多数突設した第二破砕歯車６０５を一定間隔を保持して多数並設すると共に、各歯車間には、周面に歯受用溝を円周上に設けた第二スペーサ６０８を介設することにより、第二破砕歯車６０５と第二スペーサ６０８とを互い違いに並設している。【０１０９】
しかも、第一破砕軸６０１のすべての第一破砕歯車６０４の歯部と第二破砕軸６０２のすべての第二破砕歯車６０５の歯部とは、互いに対向して噛み合っており、この間で互いの歯部が廃紙に突き刺さる。なお、直接には各歯車は紙一枚分の間隙を保持した接触しない状態として歯部の噛み合い当接による騒音の防止と歯部の摩擦を防止している。【０１１０】
図７に示すように、第一破砕軸６０１に対向する斜め下方位置には、第三破砕軸６０３が配設されている。【０１１１】
図１２に示すように、第三破砕軸６０３にも、第一破砕軸６０１、第二破砕軸６０２と同様に、先端先鋭状の第三破砕歯車６０６と周面に歯受用溝を円周状に刻設した第三スペーサ６０９が互い違いに並設されていると共に、第三破砕歯車６０６は第二破砕軸６０２の第二スペーサ６０８と、第三スペーサ６０９は第二破砕軸６０２の第二破砕歯車６０５とそれぞれ対向していると共に、各歯車の歯部は、各スペーサの歯受用溝に紙一枚分の厚みに相当する間隙を保持して遊嵌されている。【０１１２】
このように、各破砕歯車を互い違いに配設し、その間に歯部を覆う状態でスペーサを介在させたことにより、各破砕歯車が廃紙４を引き千切る際の騒音を可及的に第一、第二及び第三のスペーサ間の空間に封じ込めることができる。【０１１３】
第一、第二、第三の各破砕歯車６０４，６０５，６０６は、上記のように構成されており、第一破砕歯車６０４と第二破砕歯車６０５とは、略同一径と同速で回転するように構成されており、第三破砕歯車６０６は、第一及び第二破砕歯車６０４，６０５よりも高速で回転するように構成されている。【０１１４】
従って、第一破砕歯車６０４と第二破砕歯車６０５との間に搬入された廃紙４においては、まず、第一破砕歯車６０４と第二破砕歯車６０５の各歯部が廃紙４に刺きささり、各歯車の回転によって強制的に廃紙４を引き千切り、廃紙４はある程度千切られた状態となる。【０１１５】
この状態で、更に、第二破砕歯車６０５と第三破砕歯車６０６との間に、ある程度引き千切られた状態の廃紙４が搬入される。【０１１６】
ここで、第二破砕歯車６０５と第三破砕歯車６０６との周速の差異により、更に廃紙４の引き千切り作用が行われる。【０１１７】
特に、周速の異なる破砕歯車により、更なる細断状の千切り作動が行われて、ほぼ５ｍｍ前後の細片に引き千切られ、かつ、廃紙４の繊維片の長さも略５ｍｍより大きい状態で残留することになる。【０１１８】
このように、本実施形態にかかる千切り破砕シュレッダ１は、千切り破砕手段によって、廃紙４をセルロース繊維長が５ｍｍ以上の千切り細片とすることができるため、再生紙にする場合、再生紙の用途を広範囲に拡大することができ、従来の細断廃紙が３ｍｍ以下のセルロース繊維長の故にトイレットペーパー等の低品質な再生紙にしか再生できなかったことに比較して、セルロース繊維長を長くすることにより、各種の再生紙に再生が可能となり、再生紙の使用範囲が拡大し、その分廃紙の千切り細片の経済的価格が高騰して、廃紙４のリサイクルビジネスの経済性を向上することができる効果があり、更には、機密文書の廃紙４で千切り細片のセルロース繊維長が５ｍｍ以上あっても、千切り状態としたため機密性を十分に保持することができる効果がある。【０１１９】
次いで、下手側に配置した固型処理手段としての固型処理部１３０へと搬送される。【０１２０】
〔固型処理手段〕
千切り破砕処理部１２０により千切られた廃紙４である千切り細片は、固型処理部１３０により圧縮されて一定容量、一定重量に固型化された紙塊片５となる。【０１２１】
すなわち、固型処理部１３０は、図７に示すように、千切り破砕処理部１２０の排出口に連結されており、図１３に示すように、回転軸７００の外周に一定空間を形成して装着した線状の螺旋スクリュー７０１と、その搬送先端に連設した螺旋羽根体７０２と、その進行方向に設けた圧縮装置７０３とより構成されている。【０１２２】
具体的には、次のように構成されている。【０１２３】
図１３に示すように、千切り破砕処理部１２０の排出口に連結された固型処理部１３０は、断面矩形の長方形の圧縮ケースに回転軸７００を軸架しており、同回転軸の外周に一定空間を設けて装着した線状の螺旋スクリュー７０１と、その搬送先端に連設した螺旋羽根体７０２と、その進行方向に設けた圧縮装置７０３とより構成されている。線状の螺旋スクリュー７０１は先端を自由端としており、先端に細片が滞溜しないようにしている。【０１２４】
回転軸７００の基端は圧縮ケースの基端に位置する機枠７０４に支持され、先端に近い回転軸中間位置は機枠７０４に突設した保持板７０５に支持されており、この保持板７０５の前後における回転軸７００の一部分には円錐カバー７０６が配設されて破砕細片が回転軸７００を中心とした保持板の前後部分に滞溜しないようにしている。【０１２５】
なお、図７に示すように、この滞留紙細片を掻き落とすため、千切り破砕処理部１２０の排出口の最終位置に、上方向に回転するスクレーパ６１０を配設しており、スクレーパ６１０は線状の螺旋スクリューの回転軸７００に沿って配設し、千切り破砕処理部１２０からの千切り細片を千切り破砕処理部１２０と圧縮固型化装置との境で滞留しないようにしている。【０１２６】
螺旋羽根体７０２の先方には圧縮装置７０３が連設されており、同装置７０３は、前後開口の箱型ケース７０７と、その内部中途に出入れ自在に設けた当板７０８，７０８とよりなる。当板７０８，７０８は、箱型ケース７０７の外部に装置された付勢装置７０９，７０９と連動連結され、常時は箱型ケース７０７内に収納されて箱型ケース７０７内を閉塞状態としているが、当板７０８，７０８に千切り細片の塊が一定の圧縮負荷としてかかると、最終的には当板７０８，７０８を付勢に抗して箱型ケース７０７の外部に押しやって箱型ケース７０７内を開放し、一定容量の紙塊片５はそのまま箱型ケース７０７の外部に押出し放出される。【０１２７】
付勢装置７０９は、以下のように構成されている。【０１２８】
図１４に示すように、箱型ケース７０７の側壁に当板用スリット７１０を上下２個形成すると共に、箱型ケース７０７の外側壁に外方に上下プレート７１１，７１２を突設しており、上下プレート７１１，７１２の間には当板用軸７１３，７１３を垂設し、同当板用軸７１３，７１３に当板７０８，７０８，７０８，７０８を水平に連設している。従って、当板７０８，７０８，７０８，７０８は同軸７１３，７１３の中心に回動して当板用スリット７１０，７１０，７１０，７１０から箱型ケース７０７内外を出入する。【０１２９】
当板７０８の外縁の伸延部分には、縦軸７１４を挿貫している。同縦軸７１４には上下３枚の付勢板７１５を水平に連設し、付勢板７１５の一端と、箱型ケース７０７の基端に位置する機枠７１６との間には当板７０８を箱型ケース７０７内に位置させるように付勢するためのスプリング７１７を介設している。【０１３０】
図中、７１８は、機枠７１６のスプリング取付部を示す。従って、当板７０８は、スプリング７１７の付勢力によって当板用軸７１３を中心として回転し箱型ケース７０７内に押込まれた状態となる。箱型ケース７０７内において、当板７０８に一定容量の紙塊片５が当接して圧縮されていくと、最終的には当板７０８はスプリング７１７の付勢に抗して当板用軸７１３を中心にケース７０７外に回動し、スリット７１０から箱型ケース７０７外部に退去してしまうと、箱型ケース７０７内は開放され一定容量の紙塊片５はそのまま箱型ケース７０７の先端開放部から外部に押出し放出される。【０１３１】
この場合、当板用軸７１３と、縦軸７１４と、機枠７１６のスプリング取付部７１８との位置関係でスプリング７１７の付勢力を調整するようにしている。図中、７１９は、一体に作動するように上下の当板７０８，７０８，７０８，７０８を連設し補強するための連結軸である。【０１３２】
このように、廃紙の千切り細片は、線状の螺旋スクリュー７０１によって十分に攪拌されながら圧縮搬送されるため、機密性がより高く保たれるとともに、効率よく５分の１から１０分の１、望ましくは２０分の１の容積まで圧縮されるのである。【０１３３】
〔回収要求通報手段〕
回収要求通報手段は、紙塊片５の集合を貯蓄するとともに、当該紙塊片５の重量あるいは容積を計測する計測手段と、当該計測結果を記録する記録手段と、記録している計測値が所定値に達するとその旨を収集業者側の通報受信サーバ２に対して自動送信する通報手段とよりなる。【０１３４】
すなわち、固型処理手段により形成された紙塊片５は、千切り破砕シュレッダ１の下方に設けられた計測部１４１に落下し、この計測部１４１によって重量が計測される。この計測部１４１及び制御部１５０は、計測手段として機能するものである。【０１３５】
計測部１４１により計測された計測値は、記録手段としての記録部１４２内に常時記録され、当該計測値が所定値に達したとき、制御部１５０は、通報手段として機能する通報部１４３を用いて、所定の信号を収集業者側の通報受信サーバ２に対して通信ネットワーク３を介して送信する。【０１３６】
なお、計測値における所定値は、廃紙排出側で任意に設定可能である。かかる構成とすることにより、当該値を廃紙排出側で任意に設定することができるため、収集業者側は、紙塊片５の回収を廃紙排出側の要望に応じたタイミングで行うことが可能となる。【０１３７】
また、千切り破砕シュレッダ１には、内部の所定位置に紙塊片５を検知する検知センサ（図示せず）が設けられており、紙塊片５が計測部１４１に貯蓄、積層されることで、当該検知センサが紙塊片５を感知すると、制御部１５０が通報受信サーバ２へ所定の信号を送信する構成となっている。【０１３８】
このように、紙塊片５の集合が所定重量あるいは所定容積に達すると、制御部１５０は、通報手段として、所定の信号を収集業者側の通報受信サーバ２に対して自動送信することにより通報を行なう。【０１３９】
かかる構成とすることにより、廃紙排出側は、紙塊片５の貯蓄具合を逐一確認する必要がなくなり、収集業者側による紙塊片５の回収のタイミングが迅速、円滑に管理されて廃紙４の回収再生の経済性を可及的に向上することができる。【０１４０】
ここで、紙塊片５の計測値が所定値に達したときになされる通報は、千切り破砕シュレッダ１が所定の信号を通報受信サーバ２に対して通信ネットワーク３を介して送信することによってなされるものである。【０１４１】
この所定の信号には、千切り破砕シュレッダ１毎に異なる識別情報が含まれており、これにより、通報受信サーバ２は、千切り破砕シュレッダ１を有する複数の廃紙排出側の中から通報元である廃紙排出側を特定することが可能となる。かかる所定の信号の詳細については、後述する。【０１４２】
なお、紙塊片５の重量の計測値に基づいて通報するか、あるいは紙塊片５の容積の計測結果に基づいて通報するかは、廃紙排出側で任意に設定することができる。【０１４３】
〔通報受信手段〕
千切り破砕シュレッダ１からの通報は、収集業者側の有する通報受信サーバ２によって受信される。【０１４４】
ここで、通報受信サーバ２の構成について図面を参照して具体的に説明する。図１５は通報受信サーバ２の構成例を示した図であり、図１６はデータベース内に記憶されている廃紙排出側情報の一例を示した図であり、図１７は通報受信サーバのディスプレイに表示される画面の構成例である。【０１４５】
通報受信サーバ２は、一般のパーソナルコンピュータあるいは専用端末を適用することができ、図１５に示すように、ＣＰＵ２１０、作業用ＲＡＭ２２０及び各種プログラムを記録するＲＯＭ２３０から構成された制御部２００と、各種データを記憶するＨＤＤ（Hard Disk Drive）等から構成されたデータベース２４０と、通信ネットワーク３を介して千切り破砕シュレッダ１との間で通信を行うための通信部２５０と、ユーザの操作により所定の情報を入力可能なキーボード２７０やマウス２８０等の入力手段を制御する周辺機器制御チップ２６０と、ＣＰＵ２１０からイメージデータを受け取り、内部のビデオメモリ（図示せず）に書き込むと共にこのビデオメモリに書き込んだデータを後述のディスプレイ３００に表示するビデオチップ２９０、ビデオチップ２９０から送信される信号に応じた表示を行うディスプレイ３００と、ＦＭ音源（Frequency Modulation）やＷａｖｅ  Ｔａｂｌｅ音源などの音源を有する音源チップ３２０と、音源チップ３２０から出力されるオーディオ信号を音波に変換する内蔵スピーカ３３０とを備えて構成され、これらの各種構成要素はシステムバス３４０を介して相互に接続されている。【０１４６】
データベース２４０は、図１６に示すように、廃紙排出側の情報（会社名、住所、電話番号等）を、千切り破砕シュレッダ１から送信される所定の信号に含まれる当該千切り破砕シュレッダ１毎に異なる識別情報と関連付けて予め記憶している。これにより、所定の信号を受信した際、当該信号に含まれる識別情報によって通報元の廃紙排出側を特定することができる。【０１４７】
制御部２００は、ＣＰＵやＲＯＭに記憶された各種プログラムを読み出し実行することにより、通報受信サーバ２全体を制御し、かつ、後述の通報受信手段等として機能する。【０１４８】
通報受信手段は、千切り破砕シュレッダ１から送信された所定の信号を受信する。当該所定の信号には、上述のように、千切り破砕シュレッダ１毎に異なる識別情報が含まれており、この識別情報とデータベース２４０内に記憶された廃紙排出側の情報とに基づいて通報元である廃紙排出側を特定することができる。【０１４９】
そして、通報元である廃紙排出側を特定すると、通報受信サーバ２は図１７に示すように、廃紙排出側から紙塊片５の収集の要請があった旨を当該廃紙排出側の住所及び電話番号とともにディスプレイ３００に表示する。これにより、廃紙排出側から紙塊片５の収集の要請があった旨を収集業者側のスタッフに対して通知することができる。また、当該廃紙排出側の住所及び電話番号もディスプレイに表示させることで、収集業者側のスタッフは、どこへ収集に向かえばよいのか等を即座に確認することができ、スムーズに収集先に向かうことができる。【０１５０】
〔収集手段〕
収集業者側のスタッフは、通報受信サーバ２のディスプレイ３００上に収集指示が表示されたことを確認すると、通報元である廃紙排出側に赴き、千切り細片の紙塊片５を回収する。【０１５１】
〔紙塊片有料化手段〕
収集業者側が千切り細片からなる紙塊片５を収集するに際しては、廃紙排出側に一定の対価支払いの債務を負担する。【０１５２】
〔料金演算手段〕
ここで、千切り破砕シュレッダ１の有する料金演算手段は、収集業者が廃紙排出側に対して負担する紙塊片５の収集料金を当該紙塊片５の計測値に基づいて演算する。収集料金の演算式は、［収集料金＝紙塊片の重量（ｋｇ）×１００×α（α＜１）］であり、本実施形態においては、α＝０．５としている。また、演算した収集料金は、図１８に示すように、料金表示ボタン１６６を押下することにより、表示部１６０の料金表示領域１６３に表示される。【０１５３】
なお、支払い債務の内容は、金銭支払いでもよく、代位物による支払いでもよい。【０１５４】
要は、カラー印刷文書の混入のない、５ｍｍ以上のセルロース繊維長とした千切り細片であるため、再生工場においては、再生紙等に還元できるような用途の広い原料となっている。【０１５５】
従って、経済性を十分に見積もることのできる紙塊片５の価値に対応した対価の支払い債務を収集業者側に負担させて、廃紙排出側においては、千切り細片として廃紙処理を行うメリットを発生させ、かつ、千切り破砕装置を可及的早急に原価償却しうる状態を生成する。【０１５６】
ところで、再生紙原料の市場価格は常に変動しているので、前記した収集料金の基準価格もこれに連動して変動することとなる。さらに、回収対象の紙塊片５へのカラー印刷文書の混入度合い、ステープルやクリップ等の金属物、プラスチック物の混入度合いによっては、再生紙原料の価値が下がる虞がある。そこで、本実施形態においては、再生紙原料の市場価格を常時監視し、それを反映した収集量金の基準価格の設定を行うこともできる。【０１５７】
すなわち、収集料金の演算式を、［収集料金＝紙塊片の重量（ｋｇ）×１００×α（α＜１）×ｒ×ｓ］として、ｒを古紙の市場価格の変動要素係数とし、ｓを収集対象の破砕紙塊片の再生紙原料価値係数として設定するのである。【０１５８】
このうち、ｓについては、収集した紙塊片の履歴をバーコードやＩＣタグを紙塊片５の収集容器に設置するなどしてモニタリングすることにより、収集対象の個別の事業所や個別のシュレッダに対して設定することが可能である。モニタリングの結果を等級認定することにより、再生紙原料価値係数としてフィードバックすることができ、シュレッダ利用者のモチベーションを喚起し、再生紙原料の価値を向上するよう、白黒文書とカラー印刷文書の事前の選別やステープルの除去などの環境改善活動への慫慂が自律的に行われることとなる。【０１５９】
このことによって、従来限りなく金銭的価値が「無」に近かった廃紙排出側における廃紙が千切り破砕という特殊な処理を行うことにより、大きな経済サイクルを生起し、かつ、経済活動の活性化を促す。【０１６０】
〔運搬手段〕
紙塊片５の収集後における当該紙塊片５の再生製品生産者側への搬送は、運搬手段によってなされる。本実施形態において、かかる運搬手段は、トラック等の運搬車両６であり、廃紙排出側において紙塊片５を収集すると、一旦倉庫等に保管した後、あるいは直接に再生製品生産者側へ搬入する。【０１６１】
〔再生側引渡し手段〕
収集業者側は、廃紙排出側から紙塊片５を収集した後、これを再生製品生産者側へ引き渡す。【０１６２】
再生製品生産者側は、一旦収集業者側において貯溜していた紙塊片５を定期的に受け取る場合や、収集した紙塊片５をその都度受け取る場合がある。【０１６３】
また、収集業者側が団体を結成して収集センターをつくり、回収した紙塊片５を管理して紙相場などの経済変動を視野に入れた再生製品生産者側へ引渡しを行う場合がある。【０１６４】
〔引渡し有料化手段〕
収集業者側は紙塊片５を再生製品生産者側に引渡すに際しては、再生製品生産者側から対価を受け取る。【０１６５】
従来のシュレッダによる３ｍｍ以下の細断紙片とした処理の場合の価格と比較した場合、本発明のシステムで使用する引き千切り状の細片の価値は、少なくとも５倍以上の価値が生じる。【０１６６】
従って、その分、前述した廃紙排出側へ支払う紙塊片５の対価も、従来に比し高く見積もることができる。【０１６７】
このことは、廃紙排出側への紙塊片５の代金支払い額の増加にもつながり、廃紙リサイクルの経済性を大幅にアップし、その分廃紙リサイクルが活性化して、ひいては自然環境の保護にも貢献することができる。【０１６８】
ここで、再生製品生産者側から受け取る対価の額は、紙塊片有料化手段により廃紙排出側に対して支払った紙塊片５の価格よりも大の価格とする。かかる引渡し価格を算出するための演算式は、［引渡し価格＝紙塊片の重量（ｋｇ）×１００×β（β＞１）］であり、本実施形態においては、β＝１．５としている。【０１６９】
また、この演算式には、古紙の市場価格の変動要素係数ｒを含めることもできる。この場合、演算式は、［引渡し価格＝紙塊片の重量（ｋｇ）×１００×β（β＞１）×ｒ］となる。【０１７０】
このように、収集業者側は、紙塊片５を再生製品生産者側へ引き渡す際、廃紙排出側に対して支払った紙塊片の価格よりも大の価格で引き渡すことにより、その差額を自己の利益とすることができる。【０１７１】
以上のように、収集業者側の処理としては、紙塊片５の収集を行う収集手段と、紙塊片５を収集するに際して、廃紙排出側に一定の対価支払いの債務を負担する紙塊片有料化手段と、紙塊片を運搬する運搬手段と、収集した紙塊片５を再生製品生産者側へと引き渡す再生側引渡し手段と、紙塊片５を再生製品生産者側へと引き渡す際に、対価を受け取る引渡し有料化手段とがある。【０１７２】
〔再生製品生産者側の加工処理〕
次に、再生製品生産者側の有する手段について説明する。再生製品生産者側は、収集業者側から引渡しを受けた紙塊片を再生製品７に加工し、あるいは再生製品の原料に加工する再生加工手段を有する。【０１７３】
〔再生加工手段〕
再生製品生産者側においては、搬入された紙塊片５を所定の処理工程を経て再生紙等に還元処理する。【０１７４】
再生紙等は、再度、所定の手続に乗って市場に流通することになる。【０１７５】
〔廃紙の破砕回収再生システムＳの処理フローチャートの説明〕
ここで、本実施形態における廃紙の破砕回収再生システムＳの処理フローチャートの説明として、先ず、千切り破砕シュレッダ１の動作について、図面を参照して具体的に説明する。図１９は本実施形態における千切り破砕シュレッダ１のメイン処理フローチャートであり、図２０は本実施形態における破砕計測通報処理のフローチャートである。【０１７６】
まず、千切り破砕シュレッダ１の電源がＯＮになると、千切り破砕シュレッダ１のＣＰＵは、ＲＡＭ、ＲＯＭ等のアクセス許可、作業領域確保を初期化等の初期設定動作を実行し、各種プログラムをＣＰＵによる実行状態とし、制御部１５０としての機能を動作させる。【０１７７】
次に、図１９に示すように、制御部１５０は、千切り破砕シュレッダ１に設けられた処理開始ボタン（図１８における符号１６４）が押下されたか否かを判定する（ステップＳ００１）。この処理において、処理開始ボタン１６４が押下されたと判定すると（ステップＳ００１：Ｙｅｓ）、制御部１５０は、廃紙検知センサが廃紙収納ケースに収納された廃紙を検知したか否かを判定する（ステップＳ００２）。この処理において、廃紙検知センサが廃紙４を検知したと判定すると（ステップＳ００２：Ｙｅｓ）、制御部１５０は、処理をステップＳ００３に移行する。【０１７８】
一方、廃紙検知センサが廃紙４を検知していないと判定すると（ステップＳ００２：Ｎｏ）、制御部１５０は、その旨を表示部１６０に表示する（ステップＳ００７）。これは、図１８に示すように、第１のランプ１６１を点灯させることにより行われる。【０１７９】
ステップＳ００３において、制御部１５０は、ロック検知センサが蓋体用ロック機構が作動していることを検知したか否かを判定する。この処理において、ロック検知センサが、蓋体用ロック機構が作動していることを検知したと判定すると（ステップＳ００３：Ｙｅｓ）、制御部１５０は、廃紙送り手段、破砕処理手段、固型処理手段、回収要求通報手段等として、破砕計測通報処理を行う（ステップＳ００４）。この破砕計測通報処理は、図２０におけるステップＳ０１０からステップＳ０１６に示す処理であり、後述する。【０１８０】
一方、ロック検知センサが、蓋体用ロック機構が作動していることを検知していないと判定すると（ステップＳ００３：Ｎｏ）、制御部１５０は、その旨を表示部１６０に表示する（ステップＳ００８）。これは、図１８に示すように、第２のランプ１６２を点灯させることにより行われる。【０１８１】
ステップＳ００７、ステップＳ００８の処理を終了すると、制御部１５０は、処理をステップＳ００１に移行する。【０１８２】
ステップＳ００４の処理を終了すると、制御部１５０は、処理終了ボタン（図１８における符号１６５）が押下されたか否かを判定する（ステップＳ００５）。この処理において、処理終了ボタン１６５が押下されていないと判定すると（ステップＳ００５：Ｎｏ）、制御部１５０は、処理をステップＳ００２に移行し、処理終了ボタン１６５が押下されたと判定すると（ステップＳ００５：Ｙｅｓ）、処理を停止し（ステップＳ００６）、処理をステップＳ００７に移行する。【０１８３】
ステップＳ００７において、制御部１５０は、電源がＯＦＦされたか否かを判定する。この処理において、電源がＯＦＦされていないと判定すると（ステップＳ００７：Ｎｏ）、制御部１５０は処理をステップＳ００１に移行する。一方、電源がＯＦＦされたと判定すると（ステップＳ００７：Ｎｏ）、制御部１５０は、メイン処理を終了する。【０１８４】
次に、ステップＳ００４における破砕計測通報処理について、図２０を参照して具体的に説明する。図２０は破砕計測通報処理のフローチャートである。【０１８５】
図２０に示すように、破砕計測通報処理を開始すると、制御部１５０は、廃紙送り手段として、廃紙収納ケース内の廃紙を千切り破砕処理部１２０へと搬送する（ステップＳ０１０）。【０１８６】
次に、制御部１５０は、破砕処理手段として、搬送されてきた廃紙の千切り破砕処理を行い、廃紙を細分化する（ステップＳ０１１）。【０１８７】
次に、制御部１５０は、固型処理手段として、千切り細片を圧縮固型化し、紙塊片５を形成する（ステップＳ０１２）。【０１８８】
次に、制御部１５０は、計測手段として、形成した紙塊片５の集合の重量あるいは容積を計測する（ステップＳ０１３）。【０１８９】
次に、制御部１５０は、記録手段として、計測した紙塊片５の集合の重量を記録する（ステップＳ０１４）。【０１９０】
次に、制御部１５０は、ステップＳ０１４において記録した紙塊片５の計測値が所定値に達したか否かを判定する（ステップＳ０１５）。この処理において、紙塊片５の計測値が所定値に達していないと判定すると（ステップＳ０１５：Ｎｏ）、制御部１５０は、処理をステップＳ０１０に移行する。一方、紙塊片５の計測値が所定値に達したと判定すると（ステップＳ０１５：Ｙｅｓ）、制御部１５０は、通報手段として、所定の信号を収集業者に対して通信ネットワーク３を介して送信する（ステップＳ０１６）。【０１９１】
ステップＳ０１６の処理が終了すると、制御部１５０は、破砕計測通報処理を終了する。【０１９２】
次に、通報受信サーバ２の動作について、図面を参照して具体的に説明する。図２１は本実施形態における通報受信サーバのメイン処理フローチャートである。【０１９３】
図２１に示すように、通報受信サーバ２の制御部２００は、メイン処理を開始すると、廃紙排出側から通報を受けたか否かを判定する（ステップＳ１００）。この判定は、千切り破砕シュレッダ１から送信された所定の信号を受信したか否かによって判定するものである。この処理において、廃紙排出側から通報を受けたと判定すると（ステップＳ１００：Ｙｅｓ）、制御部２００は、千切り破砕シュレッダ１から送信された所定の信号に含まれる千切り破砕シュレッダごとに異なる識別情報を取り出し（ステップＳ１０１）、取り出した識別情報に基づき、データベース２４０から通報元である廃紙排出側の情報を取り出して（ステップＳ１０２）、当該情報をディスプレイ３００に表示する（ステップＳ１０３）。【０１９４】
次に、制御部２００は、電源がＯＦＦされたか否かを判定する（ステップＳ１０４）。この処理において、電源がＯＦＦされていないと判定すると（ステップＳ１０４：Ｎｏ）、制御部２００は、処理をステップＳ１００に移行する。一方、電源がＯＦＦされたと判定すると（ステップＳ１０４：Ｙｅｓ）、制御部２００は、メイン処理を終了する。【０１９５】
〔本実施形態の具体例〕
ここで、本実施形態にかかる廃紙の破砕回収再生システムＳの一例として、廃紙排出側である「○○銀行」で発生した不要な機密文書等からなる廃紙が再生製品である「再生紙」にリサイクルされるまでの流れを具体的に説明する。【０１９６】
「○○銀行」の社員は、業務上発生し不要となった機密文書その他の文書を千切り破砕シュレッダ１を用いて細分化する。その際、「○○銀行」の社員は、廃紙生成手段として、当該不要となった文書をカラー印刷文書と白黒印刷文書とに分別する。【０１９７】
そして、分別した文書のうち、白黒印刷文書である廃紙４を千切り破砕シュレッダ１を用いて細分化する。【０１９８】
この際、千切り破砕シュレッダ１は、廃紙４を千切り破砕処理部１２０を用いて千切り細片とし、さらに、この千切り細片を固型処理部１３０を用いて紙塊片５とする。形成された紙塊片５は、千切り破砕シュレッダ１の下方に設けられた計測部１４１に落下し、この計測部１４１によって重量が計測される。この計測値は、記録手段によって常時記録され、当該計測値が所定値に達したとき、通報部１４３を用いて、所定の信号を収集業者側の通報受信サーバ２に対して通信ネットワーク３を介して送信する。【０１９９】
所定の信号を受信した通報受信サーバ２は、当該所定の信号に含まれる識別情報を取り出し、この識別情報とデータベース２４０内に記憶された廃紙排出側の情報とに基づいて通報元が「○○銀行」であることを特定する。【０２００】
そして、通報元を特定すると、通報受信サーバ２は、図１７に示すように、「○○銀行」から紙塊片５の収集の要請があった旨を「○○銀行」の住所及び電話番号とともにディスプレイ３００に表示する。【０２０１】
収集業者側のスタッフは、通報受信サーバ２のディスプレイ３００上に収集指示が表示されたことを確認すると、運搬車両６に乗り込み「○○銀行」へと赴き、紙塊片５を収集する。【０２０２】
この際、収集業者側のスタッフは、図１８に示すように、千切り破砕シュレッダ１に設けられている料金表示ボタン１６６を押下して、料金表示領域１６３に収集料金を表示させ、表示された金額に従い収集料金である５０００円を「○○銀行」に対して支払う。なお、古紙の市場価格の変動要素係数ｒおよび収集対象の破砕紙塊片の再生紙原料価値係数ｓを考慮した対価を支払うこととしてもよい。【０２０３】
次に、収集業者側のスタッフは、運搬車両６の荷台に収集した紙塊片５を積載し、再生製品生産者側へ向かう。【０２０４】
そして、収集業者側のスタッフは、「○○銀行」から収集した紙塊片５を再生製品生産者側へと引き渡す。その際、収集業者側のスタッフは、再生製品生産者側から、「○○銀行」に対して支払った紙塊片５の価格である５０００円よりも大の価格にて当該紙塊片５を引き渡す。その金額は、演算式、［引渡し価格＝紙塊片の重量（ｋｇ）×１００×１．５］に基づいて算出されるため、引渡し金額は、１５０００円となる。すなわち、「○○銀行」に対して支払った金額と再生製品生産者側から受け取った金額の差額である１００００円が収集業者側の利益となる。なお、実際の市場においては、古紙の市場価格の変動要素係数ｒを考慮した引渡し金額が設定されることとなる。【０２０５】
そして、紙塊片５を受け取った再生製品生産者側においては、紙塊片５を所定の処理工程を経て「再生紙」に還元処理する。この際、紙塊片５を形成する千切り細片は、そのセルロース繊維長が約５ｍｍと、従来に比べて長いため、従来困難であった高品質な再生紙への再生が可能となる。【０２０６】
以上のように、「○○銀行」で発生した廃紙４は、本実施形態における廃紙の破砕回収再生システムＳによって「再生紙」としてリサイクルされ、再度、所定の手続に乗って市場に流通することになる。【０２０７】
〔他の実施形態について〕
次に、本発明の他の実施の形態について、図面を用いて説明する。図２２は、他の実施形態にかかる廃紙の破砕回収再生システムの概略構成図である。なお、先に説明した実施の形態と同一の構成については、同一の符号を付して説明を省略する。【０２０８】
図２２に示すように、本実施形態にかかる廃紙の破砕回収再生システムＳ’は、廃紙排出側の有する千切り破砕シュレッダ１０（「シュレッダ装置」に相当）、当該千切り破砕シュレッダ１０を用いて廃紙の破砕作業を行う作業者の使用する端末装置１１、廃紙排出側の従業員であって千切り破砕シュレッダ１０の稼動状況を管理する管理者の端末装置１２と、本システムＳ’を管理するシステム管理会社の有する端末装置２０と、収集業者側の有する端末装置３０と、再生製品生産者側の有する端末装置４０とより構成されており、機密文書の破砕回収再生情報の管理等を可能とするものである。【０２０９】
また、本実施形態にかかる廃紙の破砕回収再生システムＳ’において、千切り破砕シュレッダ１０と端末装置１１、１２とは、ローカルネットワークである社内ネットワーク８（「第１の通信経路」に相当）により相互に接続されており、千切り破砕シュレッダ１０と端末装置２０、３０、４０とは、グローバルネットワークである社外ネットワーク９（「第２の通信経路」に相当）により相互に接続されている。なお、社内ネットワーク８は、ＬＡＮ（Local Area Network）等を用いることができ、社外ネットワーク９は、固定電話、ＰＨＳなどの電話回線やインターネットなどの通信ネットワークを用いることができる。【０２１０】
なお、本実施形態において、端末装置１１、１２、２０、３０、４０は、一般のパーソナルコンピュータ或いは専用装置を使用することができる。また、図１中、エンコーダとは、主モータの回転情報（回転数や回転異常など）を把握し、当該情報を通知したり千切り破砕シュレッダ１０の運転制御をしたりするものである。【０２１１】
〔千切り破砕シュレッダ１０の構成について〕
次に、千切り破砕シュレッダ１０の構成について、図２３及び図２４を用いて説明する。図２３は他の実施形態にかかる千切り破砕シュレッダ１０の構成例を示す図であり、図２４は他の実施形態にかかる千切り破砕シュレッダ１０に設けられる回収ボックスの構成例を示す図である。【０２１２】
図２３に示すように、本実施形態にかかる千切り破砕シュレッダ１０は、先に説明した実施形態における千切り破砕シュレッダ１の有する構成のほかに、自装置に関する情報を記憶する記憶部１４４と、記憶部１４４に記憶された情報を社外ネットワーク９を介してシステム管理会社の端末装置２０へ送信する通信部１４５とを有する。【０２１３】
記憶部１４４は、フラッシュメモリ（Flash Memory）などから構成され、自装置に関する情報として、自装置の機番及び稼動時間を記憶している。また、記憶部１４４は、これらの情報の他、千切り破砕シュレッダ１０に異常が発生したか否かの判断基準となる異常判断基準情報、千切り破砕シュレッダ１０の運転履歴情報、収集業者から送信される分別成績情報等を記憶している。【０２１４】
通信部１４５は、他の装置との通信を行うことができる無線ＬＡＮインターフェイスである。なお、通信部１４５として無線ＬＡＮインターフェイスに代えて、有線ＬＡＮインターフェイスやＵＳＢインターフェイスなどを用いるようにしてもよい。【０２１５】
さらに、本実施形態にかかる千切り破砕シュレッダ１０は、固型処理手段により形成された紙塊片５を回収する回収ボックス５０を備えている。【０２１６】
この回収ボックス５０は、千切り破砕シュレッダ１０の下方に設けられた計測部１４１上に載置されるものであり、図２４に示すように、蓋５１により開閉自在に形成された開口部５２を有している。また、回収ボックス５０の側壁の一部は、透明フィルム５３ａ〜５３ｄで形成されている。かかる構成とすることにより、内部に収納された紙塊片５を視認可能となるため、例えばカラー印刷された紙など、再生処理を行うのに不適切な紙が再生処理されるのを未然に防止することができる。しかも、かかる構成とすることにより、回収ボックス５０に収容された紙塊片５を廃紙検知センサを用いて検知することもできる。【０２１７】
この回収ボックス５０を収集業者が回収する際は、蓋５１により開口部５２が閉鎖されるとともにシール５４により封がされることとなる。ここで、このシール５４にはバーコードが付されており、このバーコードによって廃紙の排出元が特定されるようにしている。かかる構成とすることにより、リサイクル品質をより高い水準で確保することができる。すなわち、廃紙排出側においては、収集業者により回収された紙塊片５が確実に再生製品生産者に引き渡され、処理されたか否かを確認することができ、また、収集業者側においては、回収した紙塊片５の中に再生処理に不適切な紙が混在していた際に、その旨を分別成績情報として廃紙排出側に対してフィードバックすることができる。【０２１８】
なお、シール５４に付されるものは必ずしもバーコードである必要はなく、ＩＣチップやＱＲコードであってもよい。【０２１９】
また、本実施形態において、回収ボックス５０は、強化ダンボール（重量物包装用段ボール）及び透明フィルムで形成されており、再生製品生産者側において、強化ダンボールは紙塊片５とともに再生処理がなされ、透明フィルムは強化ダンボールから分離された後、廃プラスチックとして再生利用される。【０２２０】
千切り破砕シュレッダ１０は、以上のように構成されており、本実施形態にかかる廃紙の破砕回収再生システムＳ’は、以下の特徴的な機能を有するものである。【０２２１】
〔機番管理機能について〕
本実施形態にかかる廃紙の破砕回収再生システムＳ’では、千切り破砕シュレッダ１０に関する情報をシステム管理会社の端末装置２０へ送信することにより、システム管理会社による千切り破砕シュレッダ１０のメンテナンス等を最適なタイミングで行うことを可能としている。【０２２２】
すなわち、本実施形態にかかる廃紙の破砕回収再生システムＳ’において、千切り破砕シュレッダ１０は、記憶部１４４に記憶された自装置の機番及び稼働時間の情報を、通信部１４５からシステム管理会社の端末装置２０へ社外ネットワーク９を介して送信することとしている。【０２２３】
かかる構成とすることにより、システム管理会社は、各千切り破砕シュレッダ１０の機番を特定することができるため、当該千切り破砕シュレッダ１０がいつ製造され、どのルートで販売されたものか、メンテナンスの記録などの個別の情報を蓄積した端末装置２０と照合することにより、最適のメンテナンスを行い、機種の改良、サービスの向上に資することができる。【０２２４】
なお、千切り破砕シュレッダ１０は、自装置の稼動時間が所定の時間に達したときに定期的に送信することとする。【０２２５】
〔稼働状況通知機能について〕
また、本実施形態にかかる廃紙の破砕回収再生システムＳ’では、廃紙排出側において、千切り破砕シュレッダ１０による処理状況を、当該機密文書の千切り破砕シュレッダ１０による処理を行った作業者の使用する端末装置１１に送信することで、当該作業者が機密文書の処理状況を常時把握可能としている。【０２２６】
すなわち、先の実施形態において説明したように、作業者は、千切り破砕シュレッダ１０による処理を開始する際に、操作スイッチ４１３を用いて当該作業者が有する所定の操作キーを入力することにより廃紙収納ケース４００にロックをかけて、千切り破砕シュレッダ１０による処理中に機密文書が抜き取られないようにすることとしている。【０２２７】
そして、千切り破砕シュレッダ１０は、所定の操作キーと当該操作キーに対応する作業者が使用する端末装置１１のＩＰアドレスとを関連付けて記憶部１４４に記憶しており、これにより、作業者の端末装置１１を特定し、当該端末装置１１に対して、千切り破砕シュレッダ１０による処理の開始、終了、或いは、処理中の異常発生などの機密文書の処理状況を社内ネットワーク８を介して逐一送信する。【０２２８】
かかる構成とすることにより、例えば、千切り破砕シュレッダ１０の稼動中に紙詰まりなどの異常が発生して処理が中断した場合など、作業者がその場にいなくとも当該異常が発生したことを把握することができるため、千切り破砕シュレッダ１０を次に使用する他の作業者に迷惑を掛けることなく不具合を解消することができる。【０２２９】
また、千切り破砕シュレッダ１０は、上記のように自装置に何らかの異常が発生した場合、当該異常が発生した旨を自装置の機番とともに通信部１４５及び社外ネットワーク９を介してシステム管理会社の端末装置２０へ送信することとしている。かかる構成とすることにより、システム管理会社は、当該異常をオンタイムで察知することができ、当該千切り破砕シュレッダ１０の修理等の対応をより迅速に行うことができる。【０２３０】
また、先の実施形態において説明した通り、千切り破砕シュレッダ１０は、廃紙収納ケースに収納した廃紙を検知する廃紙検知センサを備えており、廃紙検知センサが廃紙を検知しなくなると、当該検知結果に基づいて、廃紙送り手段、破砕処理手段、固型処理手段等の処理を自動的に停止させることとしたが、これに加え、廃紙検知センサが廃紙を検知すると、当該検知結果を自装置の機番とともに通信部１４５及び社外ネットワーク９を介してシステム管理会社の端末装置２０へ送信することとしてもよい。【０２３１】
かかる構成とすることにより、システム管理会社は、各廃紙排出側に設置された千切り破砕シュレッダ１０の稼動状況を把握することができる。【０２３２】
〔紙塊片重量監視機能について〕
また、本実施形態にかかる廃紙の破砕回収再生システムＳ’において、千切り破砕シュレッダ１０の計測手段は、紙塊片５の重量を計測するものであり、また、収集業者にも、千切り破砕シュレッダ１０の計測手段と同様の機能を有する計測手段が設けられている。そして、本実施形態にかかる廃紙の破砕回収再生システムＳ’では、収集業者側の計測手段及び千切り破砕シュレッダ１０の計測手段を用いて、紙塊片の重量を管理可能としている。【０２３３】
すなわち、収集業者側の計測手段は、収集業者の有する端末装置３０と通信可能に接続されており、当該計測手段による計測結果が端末装置３０に送信され、当該端末装置３０により記憶されるように構成されている。【０２３４】
先ず、収集業者は、廃紙排出側から回収ボックス５０に収容された紙塊片５を回収すると、計測手段を用いて当該紙塊片５の重量を計測する。そして、端末装置３０は、当該計測結果を計測手段から取得するとともに、当該計測結果を回収ボックス５０に貼られたシール５４に付されたバーコードの情報と関連付けて記憶する。【０２３５】
かかる構成とすることにより、収集業者側は、千切り破砕シュレッダ１０に設けられた計測手段による計測結果と収集業者側の計測手段による計測結果とを付き合わせることができるため、紙塊片５の回収情報をより正確に把握でき、千切り破砕シュレッダ１０の計測手段の誤動作、或いは、廃紙排出側の不正などを監視することが可能となる。【０２３６】
また、上述のように、本実施形態にかかる廃紙の破砕回収再生システムＳ’において、通信経路は、ローカルネットワークからなる第１の通信経路と、グローバルネットワークからなる第２の通信経路とで構成されるとともに、制御系統も、ローカルネットワークからなる第１の制御系統と、グローバルネットワークからなる第２の制御系統とで構成され、これらは互いに独立して構成されている。かかる構成とすることにより、機密情報については、ローカルネットワークである社内ネットワーク８のみと送受信することで、当該機密情報の漏洩を確実に防止することができる。【０２３７】
ここで、上記実施形態においては、千切り破砕シュレッダ１０が記憶部１４４及び通信部１４５を有する構成としたが、廃紙排出側の用途によってはこれら記憶部１４４及び通信部１４５が不要となる場合もある。そこで、記憶部１４４及び通信部１４５を有しない千切り破砕シュレッダに対して着脱自在な通信装置を取り付けることにより、必要に応じて、千切り破砕シュレッダに記憶部や通信部の機能を追加することとしてもよい。【０２３８】
この通信装置は、千切り破砕シュレッダから当該千切り破砕シュレッダに関する情報（当該千切り破砕シュレッダの機番や稼動時間、異常発生情報など）を取得するための情報取得インターフェイス（「情報取得部」に相当）と、情報取得インターフェイスを介して取得した情報を記憶する記憶部と、当該インターフェイスを介して取得し情報をシステム管理会社へ社外ネットワーク９を介して送信する通信インターフェイス（「通信部」に相当）と、を備えている。【０２３９】
かかる構成とすることにより、千切り破砕シュレッダが通信機能を有していない場合であっても、当該千切り破砕シュレッダに関する情報をシステム管理会社の端末装置２０へ送信することが可能となる。【０２４０】
また、かかる場合であっても、通信経路は、ローカルネットワークからなる第１の通信経路と、グローバルネットワークからなる第２の通信経路とで構成されるとともに、制御系統も、ローカルネットワークからなる第１の制御系統と、グローバルネットワークからなる第２の制御系統とで構成され、これらは互いに独立して構成されている。したがって、機密情報については、ローカルネットワークである社内ネットワーク８のみと送受信することで、当該機密情報の漏洩を確実に防止することができる。【０２４１】
以上、本発明の好ましい実施の形態について説明したが、本発明はかかる特定の実施形態に限定されるものではなく、特許請求の範囲に記載された本発明の要旨の範囲内において、種々の変形・変更が可能である。【０２４２】
例えば、通報受信サーバ２は、ＧＰＳ（Global Positioning System）により、千切り破砕シュレッダ１の位置を特定することとしてもよい。この場合、千切り破砕シュレッダ１には、ＧＰＳ衛星からのデータを受信するＧＰＳアンテナ及びＧＰＳアンテナによる受信データを入力するＧＰＳ装置が設けられる。ＧＰＳ装置は、ＧＰＳアンテナを介してＧＰＳ衛星から受信したデータに基づいて、当該千切り破砕シュレッダ１の位置を２次元若しくは３次元の座標データによって特定する装置であり、その動作は制御部１５０によって制御される。【０２４３】
かかる構成の千切り破砕シュレッダ１において、制御部１５０は、計測部１４１による紙塊片の集合の計測値が所定値に達したと判定すると、ＧＰＳ装置に現在の位置情報を要求する信号を出力する。ＧＰＳ装置は、制御部１５０からの位置情報要求信号に対し、位置情報などのデータを制御部１５０に出力する。そして、制御部１５０は、出力した位置情報などを通報受信サーバ２に対して通信ネットワークを介して送信する。【０２４４】
かかる構成とすることにより、例えば、廃紙排出側の所在地が変わった場合であっても、その旨を逐一収集業者側に報告する必要がなくなる。【０２４５】
また、上述した実施形態においては、千切り破砕シュレッダ１の計測部１４１により計測される紙塊片５の計測値が所定値に達したときに、所定の信号を収集業者側の通報受信サーバ２に対して通信ネットワーク３を介して送信することとしたが、当該計測値を常時収集業者側に対して送信することとしてもよい。【０２４６】
かかる本発明の他の実施形態において、回収要求通報手段は、紙塊片５の集合を貯蓄するとともに、当該紙塊片５の重量あるいは容積を計測する計測手段と、当該計測結果を定期的に記録する記録手段と、当該記録を所定期間ごとに収集業者側の通報受信サーバ２に対して出力して通報する出力手段とよりなる。【０２４７】
すなわち、千切り破砕シュレッダ１の計測部１４１内の紙塊片５の重量が所定重量分（例えば１ｋｇ）増加すると、記録部１４２が作動して、定期的に自動で当該計測値を記録するとともに収集業者側に所定の信号を出力して通報する。【０２４８】
この所定の信号には、計測部１４１により計測された紙塊片５の計測値と千切り破砕シュレッダごとに異なる識別情報とが含まれている。【０２４９】
そして、通報受信サーバ２は、千切り破砕シュレッダ１から出力された所定の信号を受信すると、当該所定の信号から計測部１４１により計測された紙塊片５の計測値と千切り破砕シュレッダごとに異なる識別情報とを取り出し、取り出した識別情報を基に通報元である廃紙排出側を特定するとともに、データベース２４０内に記憶されている当該廃紙排出側の情報に当該計測値を追加する。【０２５０】
そして、当該計測値が所定値に達したとき、通報受信サーバ２の制御部２００は、計測値が所定値に達した廃紙排出側に赴くべき旨を当該廃紙排出側の住所及び電話番号とともにディスプレイ３００に表示する。【０２５１】
かかる構成とすることにより、収集業者側で廃紙排出側における紙塊片５の貯溜状況を管理しながら回収タイミングを見計ることができる。【０２５２】
また、上述した各実施形態では、廃紙排出側において、廃紙生成手段として、当該不要となった文書をカラー印刷文書と白黒印刷文書とに分別したのち、白黒印刷文書のみを廃紙として千切り破砕シュレッダの廃紙収納ケース４００に収納することとしたが、これに代えて、廃紙収納ケース４００に光量センサを設け、当該センサにより白黒印刷文書とカラー印刷文書とを識別し、カラー印刷文書が混ざっていた場合には、処理を中断するようにすることもできる。【０２５３】
かかる場合、千切り破砕シュレッダ１０の記憶部１４４には、光量センサによるカラー印刷文書を検知するための検知閾値を決定する分別判断基準情報が記憶されている。【０２５４】
かかる構成とすることにより、再生紙の原料に不向きなカラー印刷文書の紙塊片５への混入を未然に防ぐことができ、当該紙塊片５の品質をより高水準で維持することができる。【０２５５】
なお、千切り破砕シュレッダは、光量センサがカラー印刷文書を検知した場合、処理を中断するのではなくカラー印刷文書を収納する専用トレイへと搬送するように構成してもよい。かかる構成とすることにより、光量センサがカラー印刷文書を検知する度に処理が中断することがなく、よりスムーズな作業が可能となる。【０２５６】
本発明の実施の形態に記載された効果は、本発明から生じる最も好適な効果を列挙したものに過ぎず、本発明による効果は、本発明の実施の形態に記載されたものに限定されるものではない。
【図１】
2008136442.tif 000003
【図２】
2008136442.tif 000004
【図３】
2008136442.tif 000005
【図４】
2008136442.tif 000006
【図５】
2008136442.tif 000007
【図６】
2008136442.tif 000008
【図７】
2008136442.tif 000009
【図８】
2008136442.tif 000010
【図９】
2008136442.tif 000011
【図１０】
2008136442.tif 000012
【図１１】
2008136442.tif 000013
【図１２】
2008136442.tif 000014
【図１３】
2008136442.tif 000015
【図１４】
2008136442.tif 000016
【図１５】
2008136442.tif 000017
【図１６】
2008136442.tif 000018
【図１７】
2008136442.tif 000019
【図１８】
2008136442.tif 000020
【図１９】
2008136442.tif 000021
【図２０】
2008136442.tif 000022
【図２１】
2008136442.tif 000023
【図２２】
2008136442.tif 000024
【図２３】
2008136442.tif 000025
【図２４】
2008136442.tif 000026
【国際調査報告】
2008136442.tif 000027
2008136442.tif 000028